(57)【要約】【課題】  工場内作業者等の着用者の頭部保護を的確に行えるうえに通気性がよく、しかも、従来の布製の作業帽と変わらない外観を有する体裁のよい作業帽を提供する。【解決手段】  通気性のある帽子本体１と、この帽子本体１に内装可能なようにヘルメット本体２１の周胴部２２に下縁に達する径寸法調整用の切欠２３が適当数設けられた合成樹脂製の簡易ヘルメット２よりなる作業帽であって、前記簡易ヘルメット２の頂部が、帽子本体１に内装されたときに帽子本体１の頂部形状を内側から保持する外側頂部２４と、この外側頂部２４との間に若干の間隔２６が形成された状態としてヘルメット本体２１と一体成形された内側頂部２５との二重構造とされていて、前記外側頂部２４と内側頂部２５にはそれぞれ幅方向に延びる長窓孔２４ａ、２５ａを所要の間隔をおいて縞模様状に配設したものとしてある。                                                          【選択図】  図１
2005054298.tif 000002
【特許請求の範囲】
【請求項１】
通気性のある帽子本体と、この帽子本体に内装可能なようにその周胴部に下縁に達する径寸法調整用の切欠が適当数設けられた合成樹脂製の簡易ヘルメットよりなる作業帽であって、前記簡易ヘルメットは、これを帽子本体に内装したたときに帽子本体の形状を内側から保持するように、その頂部が帽子本体の頂部形状にほぼ対応した外側頂部と、この外側頂部の板面との間に若干の間隔をおいてヘルメット本体と一体成形された内側頂部との二重構造とされていて、これら外側頂部と内側頂部にはそれぞれ幅方向に延びる長窓孔を所要の間隔をおいて縞模様状に配設してあることを特徴とする作業帽。
【請求項２】
簡易ヘルメットの外側頂部の長窓孔と内側頂部の長窓孔とが１ピッチ宛位相をずらせて配設されている請求項１に記載の作業帽。
【請求項３】
帽子本体はその帽径を調整可能なものである請求項１または２に記載の作業帽。
【発明の詳細な説明】
【技術分野】
【０００１】
本発明は、主として工場内作業者が頭部保護を目的として着用する体裁のよい作業帽に関するものである。
【背景技術】
【０００２】
工場内作業者が頭部保護を目的として合成樹脂製のヘルメットを着用しているが、従来の合成樹脂製のヘルメットは通気性も乏しいものであった。そこで、ヘルメット本体に通気孔を設けるとともに、南部に通気性のあるハンモックを設けたものも提案されているが、布製の作業帽に比べて体裁が悪いものであった。
【特許文献１】実開昭６４−７２３２号公報
【特許文献２】登録第３０４２６５４号実用新案公報
【発明の開示】
【発明が解決しようとする課題】
【０００３】
本発明が解決しようとするところは前記したような従来の問題点を解決して、工場内作業者等の着用者の頭部保護を的確に行えるうえに通気性がよく、しかも、一般の帽子と変わらない外観を有する体裁のよい作業帽を提供することにある。
【課題を解決するための手段】
【０００４】
従来の課題を解決した本発明の作業帽は、通気性のある帽子本体と、この帽子本体に内装可能なようにその周胴部に下縁に達する径寸法調整用の切欠が適当数設けられた合成樹脂製の簡易ヘルメットよりなる作業帽であって、前記簡易ヘルメットは、これを帽子本体に内装したたときに帽子本体の形状を内側から保持するように、その頂部が帽子本体の頂部形状にほぼ対応した外側頂部と、この外側頂部の板面との間に若干の間隔をおいてヘルメット本体と一体成形された内側頂部との二重構造とされていて、これら外側頂部と内側頂部にはそれぞれ幅方向に延びる長窓孔を所要の間隔をおいて縞模様状に配設してあることを特徴とするものである。
【０００５】
なお、前記した作業帽においては、簡易ヘルメットの外側頂部の長窓孔と内側頂部の長窓孔とは１ピッチ宛位相をずらせて配設しておくことが好ましく、また、帽子本体はその帽径が調整可能としたものが好ましい。
【発明の効果】
【０００６】
このように構成されたものは、帽子本体に合成樹脂製の簡易ヘルメットを内装した状態で着用するものであるが、合成樹脂製の簡易ヘルメットはその周胴部に下縁に達する径寸法調整用の切欠が適当数設けられているため、着用者の頭部径の大小に合ったいずれの大きさの帽子本体に対して的確容易に内装することができることとなる。
【０００７】
また、着用後においては、帽子本体に内装した簡易ヘルメットの頂部の外側頂部が帽子本体の頂部形状を内側から保持することとなるので、帽子本体は通常の帽子本体と変わらない外観を呈することとなって極めて体裁がよいものとなる。
【０００８】
しかも、帽子本体に内装した簡易ヘルメットの頂部が、幅方向に延びる長窓孔を所要の間隔をおいて縞模様状に配設してある外側頂部と、この外側頂部との間に若干の間隔が形成されるようにヘルメット本体と一体成形されていて、前記した外側頂部と同様に幅方向に延びる長窓孔を所要の間隔をおいて縞模様状に配設されている内側頂部との二重構造とされているために、着用者の頭部熱が内部にこもることなく、内側頂部の長窓孔と、この内側頂部と外側頂部間の若干の間隔と、外側頂部の長窓孔を経て、通気性を有する帽子本体より放散されることとなるので、長時間でも快適に作業を続けることができる。
【０００９】
さらにまた、簡易ヘルメットの頂部は、帽子本体に内装されたときに帽子本体の頂部形状を内側から保持する外側頂部と、この外側頂部との間に若干の間隔が形成された状態として帽子本体と一体成形された内側頂部との二重構造で、しかも、外側頂部には幅方向の長窓孔が配設されていて各長窓孔間に残されている幅方向に延びる帯状部分が弾性変形して板ばねような優れた緩衝効果を発揮することとなり、帽子本体の頂部に対して上方から何らかの衝撃が加えられてもこれを帯状部分の弾性変形で緩衝する力が大きくて安全性の高いものとなる。
【００１０】
特に、簡易ヘルメットの外側頂部の長窓孔と、内側頂部の長窓孔とを１ピッチ宛位相をずらせて配設してあるものは、外側頂部の長窓孔をその下方に内側頂部の帯状部分が位置されることとなり、このため、頂部に対して上方から何らかの衝撃が加えられると、外側頂部の長窓孔間に残された帯状部分が内側頂部の長窓孔間を埋めることとなって、着用者の頭頂部に直接帽子本体が触れることがないので一層好ましいものである。
【発明を実施するための最良の形態】
【００１１】
以下、本発明の好ましい実施の形態を室内用の作業帽を例にして説明する。
１は通気性のある前鍔付きのキャップ状をした帽子本体である。この帽子本体１は鳩目などで通気孔１１ｃを設けた布地１１ａと編地１１ｂとを組み合わせて通気性をよくした生地その他任意の通気性材をもって縫製されたものであり、図示の帽子本体１はその帽径が調整可能なように、その後部下縁に円弧状の切欠１２を設けてこの切欠１２の開口端を調整ベルト１３で繋ぐことにより着用者の頭回りの大きさが異なる者でも着用できるものとしてある。
【００１２】
２は前記した帽子本体１の下端開口を通じて帽子本体１に内装可能な合成樹脂製の簡易ヘルメットである。この簡易ヘルメット２は、肉厚を１〜３ｍｍ程度としてポリプロピレン樹脂やポリエチレン樹脂、ポリアミド樹脂などの熱可塑性樹脂その他の合成樹脂材によって頂部を二重構造として成形したヘルメット本体２１の周胴部２２に、その中間位置より下縁に達する径寸法調整用の切欠２３を適当数設けたものである。
【００１３】
なお、前記したヘルメット本体２１の周胴部２２に設けた径寸法調整用の切欠２３は、その幅や長さが特に限定されるものではないが、図示例では、周胴部２２の両側部の前後に幅５ｍｍ、長さ６０ｍｍ程度の細長い切欠を２個宛径４個設けてある以外に、帽子本体１として前記したように帽径を調整可能なように、その後部下縁に円弧状の切欠１２を設けたものをしようした関係上、この切欠１２に対応するよう、周胴部２２の後部中央に幅２５ｍｍ、長さ４０ｍｍ程度の広幅切欠を設けるとともに、その両側に幅５ｍｍ、長さ３０ｍｍ程度の短い切欠を設けたものとして、簡易ヘルメット２を内装した状態でも帽子本体１の前記した調整ベルト１３による帽径調整を簡単に行えるようにしてある。    
【００１４】
また、前記したように二重構造とされているヘルメット本体２１の頂部を図示例につき具体的に説明すれば、ヘルメット本体２１を帽子本体１に内装した状態において帽子本体１の頂部形状を内側から保持する形状に成形された外側頂部２４と、この外側頂部２４の下面との間に５〜１５ｍｍ程度の間隔２６が形成されるようにヘルメット本体２１と一体成形された内側頂部２５との二重構造であって、これら外側頂部２４と内側頂部２５にはそれぞれ幅方向に延びる長窓孔２４ａ、２５ａが所要の間隔をおいて縞模様状に配設されている。なお、外側頂部２４の長窓孔２４ａと内側頂部２５の長窓孔２５ａとは、外側頂部２４の長窓孔２４ａ、２４ａ間に残された帯状部分が内側頂部２５の長窓孔２５ａの直上に位置されるように１ピッチ宛位相をずらせたものとしてある。
【００１５】
このような作業帽は、帽子本体１にその下端開口を通じて合成樹脂製の簡易ヘルメット２を内装した状態としてこれを着用した場合、外見上は帽子本体１があらわれるから、一般の帽子を着用している場合と変わらない外観を呈していて体裁がよく、しかも、着用者の頭部は帽子本体１とこれに内装されている簡易ヘルメット２によって保護されるから、安全性に優れたものとなる。しかも、簡易ヘルメット２のヘルメット本体２１の頂部は、幅方向に延びる長窓孔２４ａが配設されている外側頂部２４と、同じく幅方向に延びる長窓孔２５ａが配設されている内側頂部２５との二重構造であって、外側頂部２４と内側頂部２５との間には若干の間隔２６が形成されているため、着用者の頭部熱は内部にこもることなく長窓孔２４ａ−間隔２６−長窓孔２５ａ−通気性を有する帽子本体１のルートで外部に放散されるので、長時間にわたって快適に作業を続けることができ、また、外側頂部２４には幅方向の長窓孔２４ａが配設されていて各長窓孔２４ａ、２４ａ間に残されている幅方向に延びる帯状部分が弾性変形し板ばねような優れた緩衝効果を発揮するので、前記した安全性は一層高められたものとなるのである。
【００１６】
なお、帽子本体１として図示するものは前鍔付きのキャップとしているが、ハット状とするなどその形状や材質が限定されることはないし、簡易ヘルメット２の材質も合成樹脂に限定されることはないし、切欠２３の数やその配置或いはヘルメット本体２１の肉厚なども用途に応じたものとすればよいことは勿論である。
【図面の簡単な説明】
【００１７】
【図１】帽子本体と簡易ヘルメットとを分離した状態で示す斜視図である。
【図２】帽子本体に簡易ヘルメットを内装した状態で示す縦断面図である。
【図３】簡易ヘルメットを下側から見た斜視図である。
【符号の説明】
【００１８】
１  帽子本体                                                                    ２  簡易ヘルメット                                                              21  ヘルメット本体                                                      
22  周胴部
23  切欠
24  外側頂部                                                                    24a 長窓孔                                                                      25  内側頂部                                                                    25a 長窓孔                                                                      26  間隔                                                                        
【図１】
2005054298.tif 000003
【図２】
2005054298.tif 000004
【図３】
2005054298.tif 000005